(57)【特許請求の範囲】
【請求項１】
移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、
該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力から残留エコーを検出するエコーレベル検出回路と、前記減算器の出力を与えられた入出力特性に基づいた信号レベルにするノンリニアプロセッサと、前記ノンリニアプロセッサの動作閾値を前記エコーレベル検出回路の検出出力のレベルに応じて設定する動作閾値設定回路と、前記送信側の移動局からの送信信号のレベルを検出する送信レベル検出回路を有し、前記動作閾値設定回路は、前記エコーレベル検出回路の出力レベルと送信レベル検出回路の出力レベルとの比をとり、この比と前記ノンリニアプロセッサの動作閾値とが比例関係となるように前記ノンリニアプロセッサの動作閾値を動的に設定する
ことを特徴とするエコーキャンセラ。
【請求項２】
移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記動作閾値を小さめに設定する動作閾値設定回路と、を有することを特徴とするエコーキャンセラ。
【請求項３】
移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記ノンリニアプロセッサを非動作状態にする動作閾値設定回路と、を有することを特徴とするエコーキャンセラ。
【請求項４】
移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記エコーレベル検出回路の出力レベルと送信レベル検出回路の出力レベルとの比と前記ノンリニアプロセッサの動作閾値との比が大きめの値となるように設定する動作閾値設定回路と、を有することを特徴とするエコーキャンセラ。
【請求項５】
移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記ノンリニアプロセッサを非動作状態となるように設定する動作閾値設定回路と、を有することを特徴とするエコーキャンセラ。
【請求項６】
移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時において前記ノンリニアプロセッサの動作閾値を最初に大きめに設定し、かつその後に前記動作閾値を小さめに設定する動作閾値設定回路と、を有し、前記動作閾値設定回路は、前記大きめの動作閾値から小さめの動作閾値に切り替える動作を、前記エコーレベル検出回路の出力レベルと送信レベル検出回路の出力レベルとの比をとり、この比と前記ノンリニアプロセッサの動作閾値との比が所定値より小さくなった時点で実行することを特徴とするエコーキャンセラ。
【請求項７】
移動局としての携帯電話機と、管轄エリアにある複数の移動局に対する回線接続制御を行う基地局とを有し、固定回線網に接続された携帯電話システムにおいて、前記基地局には固定回線網からの回線エコーをキャンセルするエコーキャンセラが設けられており、前記エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記ノンリニアプロセッサの動作閾値を設定する動作閾値設定回路とを有し、前記移動局は、前記ノンリニアプロセッサの動作閾値を設定する操作手段と、前記操作手段により設定された設定情報を前記基地局に送信する通信手段とを有し、前記動作閾値設定回路は、移動局より受信した前記設定情報に基づいて前記ノンリニアプロセッサの動作閾値を設定することを特徴とする携帯電話システム。
【発明の詳細な説明】
【０００１】
【発明の属する技術分野】
本発明は、エコーキャンセラに係り、特に携帯電話システム等の移動通信システムと公衆回線網等の固定通信網とが接続された、移動通信システムの基地局側に設けられる回線エコーをキャンセルするエコーキャンセラに関する。
【０００２】
【従来の技術】
従来のエコーキャンセラの構成を図７に示す。同図において、エコーキャンセラ３００は、移動通信システムの基地局内に設けられており、擬似エコー発生回路３０１と、減算器３０２と、ノンリニアプロセッサ（ＮＬＰ）３０３とを有している。入力ポート３１０は、送信側の移動局からの話者の音声が入力されるポートであり、出力ポート３２０は受信側の移動局または、固定電話機からの話者の音声信号が出力されるポートである。
また、出力ポート３１１は、固定回線網側の回線に接続される受信側の移動局または、固定電話機に対して出力される送信側の話者の音声信号が出力される出力ポート、入力ポート３２１は、固定回線網からの回線エコーを含む受信側の移動局または、固定電話機からの話者の音声信号が入力されるポートである。
【０００３】
上記構成において、擬似エコー発生回路３０１の伝送特性は、入力ポート３２１から入力される受信側からの回線エコーの伝送経路と等価な伝送特性となるように通話開始時に設定され、入力ポート３１０から送信側の移動局からの送信信号（話者の音声信号）が擬似エコー発生回路３０１に入力される。擬似エコー発生回路３０１では、送信側の移動局からの送信信号を通すことにより擬似エコー信号を減算器３０２に出力する。
【０００４】
減算器３０２では、入力ポート３２１より入力される固定回線網からの回線エコーを含む受信側の移動局または、固定電話機からの話者の音声信号から上記擬似エコー信号を減算し、その出力信号をノンリニアプロセッサ３０３に出力する。ノンリニアプロセッサ３０３は、動作時には減算器３０２の出力を予め与えられた入出力特性、例えば、図３または図４に示すような入出力特性に基づいた信号レベルになるように処理することにより通話開始時に生ずる残留エコーを除去し、出力ポート３２０より送信側の移動局に出力する。
【０００５】
図３、図４は、所定の動作閾値｜Ｘ0｜以下の入力信号レベルでは、出力を零とし、入力信号レベルが｜Ｘ0｜以上では入力信号に比例した信号を出力するノンリニアプロセッサ３０３の入出力特性を示している。
すなわち、通話開始時に擬似エコー発生回路３０１における伝送特性が、受信側からの回線エコーの伝送経路と等価な伝送特性となるように、擬似エコー発生回路を構成する適応フィルタにおける各タップの係数が設定されるまでには、減算器３０２の出力には除去しきれないエコー、すなわち残留エコーが含まれる。ノンリニアプロセッサ３０３は、上記特性に基づいて残留エコーを除去するために設けられている。
【０００６】
ところで、エコーキャンセラのノンリニアプロセッサについてはＩＴＵ−Ｔ（International Telecommunication Union− Telecommunication Standardization Sector）の国際勧告Ｇ．１６５でその記述が見られるが、ノンリニアプロセッサの入出力特性の概要と、その使用例が示されているだけである。エコーキャンセラを実際に使用する場合において、ノンリニアプロセッサの動作閾値は固定であり、ノンリニアプロセッサの制御は、それを動作状態にするか、非動作状態にするかの選択を行うだけであり、回線に発生するエコーのレベルに応じてノンリニアプロセッサの動作閾値を変更するものは見当たらない。
【０００７】
【発明が解決しようとする課題】
通話シーケンスにおいて回線が設定された後、エコーキャンセラが回線のエコー特性を学習し終えるまでの学習期間（非収束期間）、すなわちエコーキャンセラの適応フィルタにおける各タップの係数が初期設定されるまでの期間においては、移動通信システムとしての携帯電話システムにおいて移動局である携帯電話のユーザの発した音声がほとんど、そのまま折り返され、耳障りなエコーとなり、通話が阻害される。この場合に上述したようにエコーキャンセラにおけるノンリニアプロセッサを動作させることがエコーを抑制するのに有効な解決手段となるが、ノンリニアプロセッサを何の制限もなく使用すると、必要な音声の一部もキャンセルされてしまい、通話が却って不自然になるという問題が有った。
【０００８】
本発明はこのような事情に鑑みてなされたものであり、ノンリニアプロセッサを有効に制御することにより通話開始時において生ずる回線エコーを最小限に抑制することができるエコーキャンセラを提供することを目的とする。
【０００９】
【課題を解決するための手段】
上記目的を達成するために、以下の手段を採用した。
本発明は、移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力から残留エコーを検出するエコーレベル検出回路と、前記減算器の出力を与えられた入出力特性に基づいた信号レベルにするノンリニアプロセッサと、前記ノンリニアプロセッサの動作閾値を前記エコーレベル検出回路の検出出力のレベルに応じて設定する動作閾値設定回路と、前記送信側の移動局からの送信信号のレベルを検出する送信レベル検出回路を有し、前記動作閾値設定回路は、前記エコーレベル検出回路の出力レベルと送信レベル検出回路の出力レベルとの比をとり、この比と前記ノンリニアプロセッサの動作閾値とが比例関係となるように前記ノンリニアプロセッサの動作閾値を動的に設定することを特徴とする。
【００１０】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力から残留エコーを検出するエコーレベル検出回路と、前記減算器の出力を与えられた入出力特性に基づいた信号レベルにするノンリニアプロセッサと、前記ノンリニアプロセッサの動作閾値を前記エコーレベル検出回路の検出出力のレベルに応じて設定する動作閾値設定回路とを有するので、ノンリニアプロセッサ動作閾値を残留エコーのレベルに応じて動的に制御することができ、聴覚上、違和感の少ない音声受信が可能になる。
【００１２】
また、本発明によれば、動作閾値設定回路は、エコーレベル検出回路の出力レベルと送信レベル検出回路の出力レベルとの比をとり、この比とノンリニアプロセッサの動作閾値とが比例関係となるように前記ノンリニアプロセッサの動作閾値を動的に設定するようにしたので、聴覚上、違和感の少ない音声受信が可能になる。
【００１３】
本発明は、移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記動作閾値を小さめに設定する動作閾値設定回路とを有することを特徴とする。
【００１４】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記動作閾値を小さめに設定する動作閾値設定回路とを有するので、ノンリニアプロセッサの動作閾値を、エコーキャンセラを構成する適応フィルタの非収束時間帯には動作閾値を大きくし、その後は動作閾値を小さく設定することにより、聴覚上、違和感の少ない音声受信が可能になる。また、請求項３に記載の発明では、ノンリニアプロセッサの動作閾値を通話開始後の時間経過により設定しているので、残留エコーを検出するエコーレベル検出回路と、送信側の移動局からの送信信号のレベルを検出する送信レベル検出回路とが不要になり、回路構成が簡単化される、という効果がある。
【００１５】
本発明は、移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記ノンリニアプロセッサを非動作状態にする動作閾値設定回路とを有することを特徴とする。
【００１６】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記ノンリニアプロセッサを非動作状態にする動作閾値設定回路とを有するので、通話開始時の残留エコーを効率的に除去することができ、聴覚上、違和感の少ない音声受信が可能になる。
【００１７】
本発明は、移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記エコーレベル検出回路の出力レベルと送信レベル検出回路の出力レベルとの比と前記ノンリニアプロセッサの動作閾値との比が大きめの値となるように設定する動作閾値設定回路とを有することを特徴とする。
【００１８】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記エコーレベル検出回路の出力レベルと送信レベル検出回路の出力レベルとの比と前記ノンリニアプロセッサの動作閾値との比が大きめの値となるように設定する動作閾値設定回路とを有するので、ノンリニアプロセッサの動作閾値を、通話開始時のエコーキャンセラを構成する適応フィルタの非収束時間帯（所定時間内）は残留エコーのレベルの変化量に対して大きくし、その後残留エコーのレベルの変化量に対して小さくするようにしたので、通話開始時の残留エコーを効率的に除去することができ、聴覚上、違和感の少ない音声受信が可能になる。
【００１９】
本発明は、移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記ノンリニアプロセッサを非動作状態となるように設定する動作閾値設定回路とを有することを特徴とする。
【００２０】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記ノンリニアプロセッサを非動作状態となるように設定する動作閾値設定回路とを有するので、ノンリニアプロセッサの動作閾値を、通話開始時の非収束時間帯（所定時間内）は残留エコーのレベルの変化量に対して大きくし、その後ノンリニアプロセッサを非動作状態になるようにしたので、通話開始時の残留エコーを効率的に除去することができ、聴覚上、違和感の少ない音声受信が可能になる。
【００２１】
本発明は、移動局と、管轄エリアにある複数の移動局に対する回線接続制御を行う基地局とを有する移動通信ネットワークが固定回線網に接続されており、前記基地局に設けられる回線エコーをキャンセルするエコーキャンセラであって、該エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時において前記ノンリニアプロセッサの動作閾値を最初に大きめに設定し、かつその後に前記動作閾値を小さめに設定する動作閾値設定回路とを有し、前記動作閾値設定回路は、前記大きめの動作閾値から小さめの動作閾値に切り替える動作を、前記エコーレベル検出回路の出力レベルと送信レベル検出回路の出力レベルとの比をとり、この比と前記ノンリニアプロセッサの動作閾値との比が所定値より小さくなった時点で実行することを特徴とする。
【００２２】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時において前記ノンリニアプロセッサの動作閾値を最初に大きめに設定し、かつその後に前記動作閾値を小さめに設定する動作閾値設定回路とを有し、前記動作閾値設定回路は、前記大きめの動作閾値から小さめの動作閾値に切り替える動作を、前記エコーレベル検出回路の出力レベルと送信レベル検出回路の出力レベルとの比をとり、この比と前記ノンリニアプロセッサの動作閾値との比が所定値より小さくなった時点で実行するようにしたので、前記所定値を適切に選択することにより、ノンリニアプロセッサの動作閾値を残留エコーのレベルの変化量に対して通話開始時の非収束時間帯（所定時間内）は大きくし、非収束時間帯経過後は小さくなるようにすることができ、したがって、通話開始時の残留エコーを効率的に除去することができ、聴覚上、違和感の少ない音声受信が可能になる。
【００２５】
本発明は、移動局としての携帯電話機と、管轄エリアにある複数の移動局に対する回線接続制御を行う基地局とを有し、固定回線網に接続された携帯電話システムにおいて、前記基地局には固定回線網からの回線エコーをキャンセルするエコーキャンセラが設けられており、前記エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記ノンリニアプロセッサの動作閾値を設定する動作閾値設定回路とを有し、前記移動局は、前記ノンリニアプロセッサの動作閾値を設定する操作手段と、前記操作手段により設定された設定情報を前記基地局に送信する通信手段とを有し、前記動作閾値設定回路は、移動局より受信した前記設定情報に基づいて前記ノンリニアプロセッサの動作閾値を設定することを特徴とする。
【００２６】
本発明によれば、携帯電話システムにおいて、前記基地局には固定回線網からの回線エコーをキャンセルするエコーキャンセラが設けられており、前記エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記ノンリニアプロセッサの動作閾値を設定する動作閾値設定回路とを有し、前記移動局は、前記ノンリニアプロセッサの動作閾値を設定する操作手段と、前記操作手段により設定された設定情報を前記基地局に送信する通信手段とを有し、前記動作閾値設定回路は、移動局より受信した前記設定情報に基づいて前記ノンリニアプロセッサの動作閾値を設定するので、移動局側からエコーキャンセラにおけるノンリニアプロセッサの動作閾値を設定することにより、通話開始時の残留エコーを効率的に除去することができ、聴覚上、違和感の少ない音声受信が可能になる。
【００２７】
【発明の実施の形態】
以下、本発明の実施の形態を図面を参照して詳細に説明する。図１に本発明が適用される通信回線網の構成を示す。同図において移動通信ネットワークＡは、公衆回線網等の固定回線網１を介して他の移動通信ネットワークＢに接続されている。固定回線網１はアナログ回線網である。移動通信ネットワークＡ、Ｂは例えば、携帯電話システムであり、移動局１０−１、１０−２は携帯電話機である。移動通信ネットワークＡは、移動局１０−１と、移動局１０−１の管轄エリアに設置され、移動局間の回線接続制御を行う基地局（ＢＳ）２０−１と、基地局２０−１を含む複数の基地局を統括的に制御する固定回線網１に接続された制御局（ＣＳ）３０−１とを有している。移動通信ネットワークＡには移動局及び基地局がそれぞれ、複数存在するが、説明の便宜上、１つしか示していない。
【００２８】
一方、移動通信ネットワークＢは、移動局１０−２と、移動局間の回線接続制御を行う基地局（ＢＳ）２０−２、２０−３、…、２０−Ｎと、基地局（ＢＳ）２０−２、２０−３、…、２０−Ｎを統括的に制御する固定回線網に接続された制御局３０−２とを有している。基地局２０−１、２０−２、２０−３、…、２０−Ｎにはそれぞれ、エコーキャンセラ２００が設けられている。
上記構成において、移動通信ネットワークＡの移動局１０−１と移動通信ネットワークＢの移動局１０−２との間で回線が接続され、通話を行うものとする。
【００２９】
移動通信ネットワークＡの移動局１０−１からの音声信号は、基地局２０−１、制御局３０−１を介して固定回線網１に送信され、更に、固定回線網１から移動通信ネットワークＢの制御局３０−２、移動局１０−２の管轄エリアに設置されている基地局２０−３を介して移動局１０−２に送信される。ここで、移動局１０-１から移動局１０−０２に送信された音声信号は、固定回線網１の終端点に配置されるハイブリッド回路（４線−２線変換回路）におけるインピーダンスの不整合により回線エコー５０が発生する。
【００３０】
この回線エコー５０は、制御局３０−１、基地局２０−１を介して送信側である移動局１０−１に戻ろうとするが、基地局２０−１に設けられたエコーキャンセラ２００により消去される。この移動局としての携帯電話機による通話の際に、固定回線網（アナログ回線）１のハイブリッド回路におけるインピーダンス不整合に起因して生じる回線エコーのうち、通話開始時においてエコーキャンセラの適応フィルタが非収束状態下で生じるエコーは、通話音声に大きな影響を与えるが、本発明によれば、後述するエコーキャンセラ２００を構成するノンリニアプロセッサを有効に制御することにより、通話開始時におけるエコーを最小限に抑制することができる。
【００３１】
次に、図１におけるエコーキャンセラ２００の具体的構成を図２に示す。同図において、エコーキャンセラ２００は、擬似エコー発生回路２０１と、減算器２０２と、送信レベル検出回路２０３と、エコーレベル検出回路２０４と、動作閾値設定回路２０５と、ノンリニアプロセッサ（ＮＬＰ）２０６と、伝送経路判定部２０７とを有している。
また、入力ポート２１０（Ｒin）は、送信側の移動局からの話者の音声信号が入力されるポートであり、出力ポート２２０（Ｓout）は受信側の移動局または、固定電話機からの話者の音声信号が出力されるポートである。
【００３２】
また、出力ポート２１１（Ｒout）は、固定回線網１側の回線に接続される受信側の移動局または、固定電話機に対して出力される送信側の移動局からの話者の音声信号が出力される出力ポート、入力ポート２２１（Ｓin）は、固定回線網１からの回線エコーを含む受信側の移動局または、固定電話機からの話者の音声信号が入力されるポートである。
【００３３】
擬似エコー発生回路２０１は、適応フィルタを含んで構成され、固定回線網１からエコーが回り込んでくる信号の伝送経路と等価な伝送特性を有するように、適応フィルタの各タップの係数が設定され、送信側の移動局からの送信信号（音声信号）を通すことにより回線エコーを消去するための擬似エコー信号を生成する機能を有する。
また、減算器２０２は、受信側の移動局からの受信信号から擬似エコー信号を減算することにより上記受信信号に含まれるエコーを消去する機能を有している。
【００３４】
送信レベル検出回路２０３は、送信側の移動局からの送信信号のレベルを検出する機能を有し、エコーレベル検出回路２０４は、減算器２０２の出力から残留エコーのレベルを検出する機能を有している。
ノンリニアプロセッサ２０６は、動作状態では、例えば、図３、図４に示すような動作閾値を有する入出力特性を有しており、入力信号（音声入力信号）が所定のレベル以下の場合には出力レベルを零とし、所定のレベル以上では、入力に比例したレベルの信号を出力する。
【００３５】
すなわち、減算器２０２の出力を与えられた入出力特性に基づいた信号レベルにする機能を有している。但し、ノンリニアプロセッサ２０６の上述した入出力特性において、従来のエコーキャンセラでは、ノンリニアプロセッサの動作閾値は固定された状態で使用されていたが、本発明に係るエコーキャンセラでは、ノンリニアプロセッサ２０６の入出力特性における動作閾値は、動作閾値設定回路２０５により変更可能に設定されるようになっている。
また、ノンリニアプロセッサ２０６は、非動作状態では、入力信号をそのまま出力するスルー状態となる。
【００３６】
動作閾値設定回路２０５は、ノンリニアプロセッサ２０６の動作閾値をエコーレベル検出回路２０４の検出出力のレベル、すなわち残留エコーのレベルに応じて動的に設定する機能を有している。
伝送経路判定部２０７は、通話する端末間の伝送経路が完全なディジタルパスであるか否かを検出する機能を有する。具体的には、固定回線網１における交換機が上記通話する端末間の伝送経路がすべてディジタルパスで構成されているか否かの情報を通知する機能を持たせておき、このパス情報を伝送経路判定部２０７が受け取り、このパス情報に基づいて上記伝送経路が完全なディジタルパスであるか否かを検出する機能を有している。
【００３７】
上記構成において、移動通信ネットワークＡの移動局１０−１の話者からの音声信号がエコーキャンセラ２００の入力ポート２１０から制御局３０−１側に接続されている出力ポート２１１に出力されると共に、送信レベル検出回路２０３及び擬似エコー発生回路２０１に入力される。
擬似エコー発生回路２０１では、固定回線網１からエコーが回り込んでくる信号の伝送経路と等価な伝送特性を有するように、適応フィルタの各タップの係数が設定され、送信側の移動局１０−１からの送信信号（音声信号）を通すことにより回線エコーを消去するための擬似エコー信号を生成し、減算器２０２に出力する。
【００３８】
また、入力ポート２２１からは、受信側の移動局１０−２からの受信信号が入力され、減算器２０２では、受信側の移動局１０−２からの受信信号から擬似エコー信号を減算することにより上記受信信号に含まれるエコーを消去する。しかし、通話開始時から擬似エコー発生回路２０１を構成する適応フィルタの各タップの係数が収束するまでにはある程度の時間が必要であるために、通話開始直後では、上記適応フィルタの非収束時間帯において減算器２０２の出力である音声信号に残留エコーが含まれることとなる。
【００３９】
受信側の移動局１０−２からの残留エコーが含まれた受信信号はエコーレベル検出回路２０４及びノンリニアプロセッサ２０６に出力される。
一方、送信レベル検出回路２０３には、移動局１０−１の話者からの音声信号（送信信号）が入力され、送信レベル検出回路２０３は、この送信信号のレベルを検出し、この検出信号を動作閾値設定回路２０５に出力する。
エコーレベル検出回路２０４は、減算器２０２の出力信号に含まれる残留エコーのレベルを検出し、この検出信号を動作閾値設定回路２０５に出力する。
【００４０】
伝送経路判定部２０７は、固定回線網１の図示してない交換機よりであるか否かを示すパス情報を受け取る。本実施の形態では、固定回線網１がアナログ回線網であるので、完全なディジタルパスではないことを示すパス情報を固定回線網１の交換機より受け取り、移動局１０−１と移動局１０−２との間の伝送経路が完全なディジタルパスでないことを示す情報を動作閾値設定回路２０５に出力する。
【００４１】
ここで、動作閾値設定回路２０５は、移動局１０−１と移動局１０−２との間の伝送経路が完全なディジタルパスである場合、例えば、固定回線網がＩＳＤＮ等のディジタル回線網である場合には移動通信ネットワークＡ，Ｂがディジタル回線網であるために移動局１０−１と移動局１０−２との間の伝送経路が完全なディジタルパスとなり、回線エコーは発生しない。したがって、この場合にはノンリニアプロセッサ２０６の閾値設定に関する制御を停止し、かつノンリニアプロセッサ２０６を非動作状態にする。これによりエコーキャンセラの不要な制御動作を無くすことができる。
【００４２】
さて、伝送経路判定部２０７より移動局１０−１と移動局１０−２との間の伝送経路が完全なディジタルパスでないことを示す情報を受けた動作閾値設定回路２０５は、エコーレベル検出回路２０４の検出出力、すなわち残留エコーのレベルに応じてノンリニアプロセッサ２０６入出力特性における動作閾値を設定する。
具体的には、動作閾値設定回路２０５は、エコーレベル検出回路２０４の出力レベルと送信レベル検出回路２０３の出力レベルとの比をとり、この比とノンリニアプロセッサ２０６の動作閾値とが比例関係となるようにノンリニアプロセッサ２０６の動作閾値を動的に設定する。
【００４３】
これにより、検出される残留エコーのレベルに応じて残留エコーのレベルが大きい場合には大きく、残留エコーのレベルが小さい場合には小さくなるように入出力特性における動作閾値が設定されるようにノンリニアプロセッサ２０６が制御され、送信側の移動局１０−１に対して残留エコーを最小限に抑制した音声信号が出力ポート２２０より出力される。
【００４４】
このように、本実施の形態によれば、動作閾値設定回路２０５は、エコーレベル検出回路２０４の出力レベルと送信レベル検出回路２０３の出力レベルとの比をとり、この比とノンリニアプロセッサ２０６の動作閾値とが比例関係となるようにノンリニアプロセッサ２０６の動作閾値を動的に設定するので、通話開始時における残留エコーを効率的に除去することができ、聴覚上、違和感の少ない音声受信が可能になる。
【００４５】
また、エコーキャンセラ２００の他の実施形態として、図５に示すように、通話開始時点から所定時間経過するまでの時間を計測するタイマ回路３００を設け、動作閾値設定回路２０５に、このタイマ回路３００の出力信号に基づいてノンリニアプロセッサ２０６の入出力特性における動作閾値を設定する機能を持たせるようにしてもよい。すなわち、動作閾値設定回路２０５が、タイマ回路３００の出力信号に基づいてノンリニアプロセッサ２０６の動作閾値を図６に示すように、通話開始後（時刻ｔ0後）からある一定時間Δｔが経過するまでは大きめ（Ｖth1）に設定し、かつ上記一定時間経過後（時刻ｔn後）は、動作閾値を小さめ（Ｖth2＜Ｖth1）に設定するようにしてもよい。なお、図５に示すエコーキャンセラの腰部の構成は、タイマ回路３００が付加された以外は図２に示した構成と同一である。
【００４６】
このように、本実施の形態によれば、ノンリニアプロセッサ２０６の動作閾値を、エコーキャンセラ２００を構成する適応フィルタの非収束時間帯には動作閾値を大きくし、その後は動作閾値を小さく設定することにより、聴覚上、違和感の少ない音声受信が可能になる。
また、ノンリニアプロセッサ２０６の動作閾値を通話開始後の時間経過により設定しているので、残留エコーを検出するエコーレベル検出回路２０４と、送信側の移動局からの送信信号のレベルを検出する送信レベル検出回路２０３とを省略することができ、回路構成が簡単化される、という効果もある。
【００４７】
また、動作閾値設定回路２０５に、タイマ回路３００の出力信号に基づいてノンリニアプロセッサ２０６の動作閾値を、通話開始後（時刻ｔ0後）からある一定時間Δｔが経過するまでは大きめ（Ｖth1）に設定し、かつ上記一定時間経過後（時刻ｔn後）は、ノンリニアプロセッサ２０６を非動作状態にする機能を持たせるようにしてもよい。この場合にはノンリニアプロセッサ２０６の動作閾値の設定は１つで済む。
【００４８】
このように、ノンリニアプロセッサ２０６の動作閾値を、通話開始後からある一定時間が経過するまでは大きめに設定し、かつ上記一定時間経過後は、ノンリニアプロセッサ２０６を非動作状態にすることによっても、通話開始時の残留エコーを効率的に除去することができ、聴覚上、違和感の少ない音声受信が可能になる。
【００４９】
また、動作閾値設定回路２０５に、図５に示すように、タイマ回路３００の出力信号に基づいて通話開始後からある一定時間が経過するまでは、エコーレベル検出回路２０４の出力レベルと送信レベル検出回路２０３の出力レベルとの比をとり、この比とノンリニアプロセッサ２０６の動作閾値との比が小さめの値となるようにノンリニアプロセッサ２０６の動作閾値を設定し、かつ上記一定時間経過後は、エコーレベル検出回路２０４の出力レベルと送信レベル検出回路２０３の出力レベルとの比と、ノンリニアプロセッサ２０６の動作閾値との比が大きめの値となるように設定する機能を持たせるようにしてもよい。
【００５０】
すなわち、ノンリニアプロセッサの動作閾値を、通話開始時のエコーキャンセラを構成する適応フィルタの非収束時間帯（所定時間内）は残留エコーのレベルの変化量に対して大きくし、その後残留エコーのレベルの変化量に対して小さくするようにしてもよい。
このようにすることにより、通話開始時の残留エコーを効率的に除去することができ、聴覚上、違和感の少ない音声受信が可能になる。
【００５１】
また、動作閾値設定回路２０５に、タイマ回路３００の出力信号に基づいて通話開始後からある一定時間が経過するまでは、エコーレベル検出回路２０４の出力レベルと送信レベル検出回路２０３の出力レベルとの比をとり、この比とノンリニアプロセッサ２０６の動作閾値との比が小さめの値となるようにノンリニアプロセッサ２０６の動作閾値を設定し、かつ一定時間経過後は、ノンリニアプロセッサ２０６を非動作状態となるように設定する機能を持たせるようにしてもよい。
【００５２】
すなわち、ノンリニアプロセッサ２０６の動作閾値を、通話開始時の非収束時間帯（所定時間内）は残留エコーのレベルの変化量に対して大きくし、その後ノンリニアプロセッサ２０６を非動作状態になるようにしてもよい。
このようにすることにより、通話開始時の残留エコーを効率的に除去することができ、聴覚上、違和感の少ない音声受信が可能になる。
【００５３】
また、動作閾値設定回路２０５に、通話開始時においてノンリニアプロセッサ２０６の動作閾値を最初に大きめに設定し、かつその後に前記動作閾値を小さめに設定する際に前記大きめの動作閾値から小さめの動作閾値に切り替える動作を、エコーレベル検出回路２０４の出力レベルと送信レベル検出回路２０３の出力レベルとの比をとり、この比とノンリニアプロセッサ２０６の動作閾値との比が所定値より小さくなった時点で実行する機能を持たせてもよい。
【００５４】
上記所定値を適切に選択することにより、ノンリニアプロセッサ２０６の動作閾値を残留エコーのレベルの変化量に対して通話開始時の非収束時間帯（所定時間内）は大きくし、非収束時間帯経過後は小さくなるようにすることができ、したがって、通話開始時の残留エコーを効率的に除去することができ、聴覚上、違和感の少ない音声受信が可能になる。
【００５５】
なお、携帯電話システムにおいて、前記基地局には固定回線網からの回線エコーをキャンセルするエコーキャンセラが設けられており、エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記ノンリニアプロセッサの動作閾値を設定する動作閾値設定回路とを有する場合において、前記移動局に、前記ノンリニアプロセッサの動作閾値を設定する操作手段と、該操作手段により設定された設定情報を前記基地局に送信する通信手段とを設け、前記動作閾値設定回路は、移動局より受信した前記設定情報に基づいて前記ノンリニアプロセッサの動作閾値を設定するように構成してもよい。
【００５６】
このように構成することにより、移動局側からエコーキャンセラにおけるノンリニアプロセッサの動作閾値を設定することにより、通話開始時の残留エコーを効率的に除去することができ、聴覚上、違和感の少ない音声受信が可能になる。
【００５７】
【発明の効果】
以上に説明したように、本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力から残留エコーを検出するエコーレベル検出回路と、前記減算器の出力を与えられた入出力特性に基づいた信号レベルにするノンリニアプロセッサと、前記ノンリニアプロセッサの動作閾値を前記エコーレベル検出回路の検出出力のレベルに応じて設定する動作閾値設定回路とを有するので、ノンリニアプロセッサ動作閾値を残留エコーのレベルに応じて動的に制御することができ、聴覚上、違和感の少ない音声受信が可能になる。
【００５９】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記動作閾値を小さめに設定する動作閾値設定回路とを有するので、ノンリニアプロセッサの動作閾値をエコーキャンセラを構成する適応フィルタの非収束時間帯には動作閾値を大きくし、その後は動作閾値を小さく設定することにより、聴覚上、違和感の少ない音声受信が可能になる。
【００６０】
本発明では、ノンリニアプロセッサの動作閾値を通話開始後の時間経過により設定しているので、残留エコーを検出するエコーレベル検出回路と、送信側の移動局からの送信信号のレベルを検出する送信レベル検出回路とが不要になり、回路構成が簡単化される、という効果がある。
【００６１】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、通話開始時点からある一定時間が経過するまでの時間を計測するタイマ回路と、前記タイマ回路の出力信号に基づいて前記ノンリニアプロセッサの動作閾値を通話開始後からある一定時間が経過するまでは前記ノンリニアプロセッサの動作閾値を大きめに設定し、かつ前記一定時間経過後は、前記ノンリニアプロセッサを非動作状態にする動作閾値設定回路とを有するので、通話開始時の残留エコーを効率的に除去することができ、聴覚上、違和感の少ない音声受信が可能になる。
【００６２】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記エコーレベル検出回路の出力レベルと送信レベル検出回路の出力レベルとの比と前記ノンリニアプロセッサの動作閾値との比が大きめの値となるように設定する動作閾値設定回路とを有するので、ノンリニアプロセッサの動作閾値を、通話開始時のエコーキャンセラを構成する適応フィルタの非収束時間帯（所定時間内）は残留エコーのレベルの変化量に対して大きくし、その後残留エコーのレベルの変化量に対して小さくするようにしたので、通話開始時の残留エコーを効率的に除去することができ、聴覚上、違和感の少ない音声受信が可能になる。
【００６３】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時点からある一定時間が経過するまでの時間を計測するタイマ回路と、前記タイマ回路の出力信号に基づいて通話開始後からある一定時間が経過するまでは、前記エコーレベル検出回路の出力レベルと送信レベル検出回路の出力レベルとの比をとり、この比と前記ノンリニアプロセッサの動作閾値との比が小さめの値となるように前記ノンリニアプロセッサの動作閾値を設定し、かつ前記一定時間経過後は、前記ノンリニアプロセッサを非動作状態となるように設定する動作閾値設定回路とを有するので、ノンリニアプロセッサの動作閾値を、通話開始時の非収束時間帯（所定時間内）は残留エコーのレベルの変化量に対して大きくし、その後ノンリニアプロセッサを非動作状態になるようにしたので、通話開始時の残留エコーを効率的に除去することができ、聴覚上、違和感の少ない音声受信が可能になる。
【００６４】
本発明によれば、固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記減算器の出力から残留エコーを検出するエコーレベル検出回路と、前記送信側の移動局からの送信信号のレベルを検出する送信レベル検出回路と、通話開始時において前記ノンリニアプロセッサの動作閾値を最初に大きめに設定し、かつその後に前記動作閾値を小さめに設定する動作閾値設定回路とを有し、前記動作閾値設定回路は、前記大きめの動作閾値から小さめの動作閾値に切り替える動作を、前記エコーレベル検出回路の出力レベルと送信レベル検出回路の出力レベルとの比をとり、この比と前記ノンリニアプロセッサの動作閾値との比が所定値より小さくなった時点で実行するようにしたので、前記所定値を適切に選択することにより、ノンリニアプロセッサの動作閾値を残留エコーのレベルの変化量に対して通話開始時の非収束時間帯（所定時間内）は大きくし、非収束時間帯経過後は小さくなるようにすることができ、したがって、通話開始時の残留エコーを効率的に除去することができ、聴覚上、違和感の少ない音声受信が可能になる。
【００６６】
本発明によれば、携帯電話システムにおいて、前記基地局には固定回線網からの回線エコーをキャンセルするエコーキャンセラが設けられており、前記エコーキャンセラは、前記固定回線網からエコーが回り込んでくる信号の伝送経路と等価な伝送特性を有し、送信側の移動局からの送信信号を通すことにより擬似エコー信号を生成する擬似エコー発生回路と、受信側の移動局からの受信信号から前記擬似エコー信号を減算する減算器と、前記減算器の出力を与えられた入出力特性に基づいた信号レベルにするノンリニアプロセッサと、前記ノンリニアプロセッサの動作閾値を設定する動作閾値設定回路とを有し、前記移動局は、前記ノンリニアプロセッサの動作閾値を設定する操作手段と、前記操作手段により設定された設定情報を前記基地局に送信する通信手段とを有し、前記動作閾値設定回路は、移動局より受信した前記設定情報に基づいて前記ノンリニアプロセッサの動作閾値を設定するので、移動局側からエコーキャンセラにおけるノンリニアプロセッサの動作閾値を設定することにより、通話開始時の残留エコーを効率的に除去することができ、聴覚上、違和感の少ない音声受信が可能になる。
【図面の簡単な説明】
【図１】  本発明が適用される通信回線網の構成を示す図。
【図２】  本発明の実施の形態に係るエコーキャンセラの構成を示すブロック図。
【図３】  エコーキャンセラにおけるノンリニアプロセッサの入出力特性の一例を示す特性図。
【図４】  エコーキャンセラにおけるノンリニアプロセッサの入出力特性の他の例を示す特性図。
【図５】  本発明の他の実施の形態に係るエコーキャンセラの要部の構成を示すブロック図。
【図６】  本発明の実施の形態に係るエコーキャンセラにおける動作閾値設定回路の制御特性の一例を示す図。
【図７】  従来のエコーキャンセラの構成を示すブロック図。
【符号の説明】
１  固定回線網
１０−１、１０−２  移動局
２０−１〜２０−Ｎ  基地局
３０−１、３０−２  制御局
２００  エコーキャンセラ
２０１  擬似エコー発生回路
２０２  減算器
２０３  送信レベル検出回路
２０４  エコーレベル検出回路
２０５  動作閾値設定回路
２０６  ノンリニアプロセッサ（ＮＬＰ）
２０７  伝送経路判定部
【図１】
0004503158.tif 000002
【図２】
0004503158.tif 000003
【図３】
0004503158.tif 000004
【図４】
0004503158.tif 000005
【図５】
0004503158.tif 000006
【図６】
0004503158.tif 000007
【図７】
0004503158.tif 000008